【手続補正書】
【提出日】令和3年2月25日(2021.2.25)
【手続補正１】
【補正対象書類名】特許請求の範囲
【補正対象項目名】全文
【補正方法】変更
【補正の内容】
【特許請求の範囲】
【請求項１】
アルゴンビーム機能を有する超極性電気外科用ペンシルであって、
第１の端部、第２の端部、および内部に収容されたチャネルを有するハンドピース部材と、
前記ハンドピース部材の前記第１の端部内に配置された電気外科用ブレードアセンブリであって、対向する平坦側部および鋭利な切断縁部を備える非導電性平坦部材、一方の対向する平坦側部に位置するリターン電極、他方の対向する平坦側部に位置するアクティブ電極、ならびに前記非導電性平坦部材の上部および前記リターン電極の少なくとも一部の上に配置された非導電性中空管状部材を含む、電気外科用ブレードアセンブリと、
第１の端部および第２の端部を有する第１の導電性中空管であって、前記第１の導電性中空管の少なくとも一部が、前記電気外科用ブレードアセンブリの前記非導電性中空管状部材内に、前記第１の導電性中空管の前記第１の端部が前記非導電性中空管状部材の第１の端部の近傍に配置されるように同心円状に収容されている、第１の導電性中空管と、
前記超極性電気外科用ペンシルの少なくとも一部内に収容された可撓性非導電管であって、前記第１の導電性中空管にガスを提供する可撓性非導電管と、
前記超極性電気外科用ペンシルを作動させるために前記リターン電極、前記アクティブ電極、および前記第１の導電性中空管をＲＦ電気外科発生器に接続するための複数の電気導体と
を備える、超極性電気外科用ペンシル。
【請求項２】
前記第１の導電性中空管が導電性突出部を含み、前記電気外科用ブレードアセンブリの前記リターン電極が導電性突出部を含み、両方の導電性突出部が前記電気外科用ブレードアセンブリの前記非導電性中空管状部材内に収容されている、請求項１に記載の超極性電気外科用ペンシル。
【請求項３】
前記ハンドピース部材が、前記ハンドピース部材の前記第１の端部に接続されたノズル部材を備える、請求項１に記載の超極性電気外科用ペンシル。
【請求項４】
前記ノズル部材が取外し可能である、請求項３に記載の超極性電気外科用ペンシル。
【請求項５】
前記ノズル部材が透明である、請求項３に記載の超極性電気外科用ペンシル。
【請求項６】
前記電気外科用ブレードアセンブリの前記非導電性平坦部材および前記非導電性中空管状部材がセラミック材料を含む、請求項１に記載の超極性電気外科用ペンシル。
【請求項７】
前記第１の導電性中空管が真鍮を含む、請求項１に記載の超極性電気外科用ペンシル。
【請求項８】
前記電気外科用ブレードアセンブリの前記リターン電極が、導電層と、前記導電層から延びる導電性突出部であって、前記非導電性中空管状部材内に位置する導電性突出部とを備える、請求項１に記載の超極性電気外科用ペンシル。
【請求項９】
前記電気外科用ブレードアセンブリが、前記鋭利な切断縁部とは反対側に位置する前記非導電性平坦部材の端部にいずれも取り付けられた、リターン導電性インサートおよびアクティブ導電性インサートをさらに備え、前記リターン導電性インサートが前記リターン電極と連通し、前記アクティブ導電性インサートが前記アクティブ電極と連通する、請求項１に記載の超極性電気外科用ペンシル。
【請求項１０】
アルゴンビーム機能を有する超極性伸縮電気外科用ペンシルを提供するために伸縮能力をさらに有する、請求項１に記載の超極性電気外科用ペンシルを含むアルゴンビーム機能を有する超極性伸縮電気外科用ペンシルであって、前記ハンドピース部材が中空伸縮部材として機能し、前記アルゴンビーム機能を有する超極性伸縮電気外科用ペンシルが、
第２のチャネルを備える第２のハンドピース部材であって、第１および第２の端部、ならびに対向する接点部材であって、前記第２のチャネルを画定する前記第２のハンドピース部材の内面に位置するように前記第２のハンドピース部材の内法長さに沿って配置された対向する接点部材を有し、前記中空伸縮部材として機能する前記ハンドピース部材の前記第２の端部が前記第２のハンドピース部材内に収容されている、第２のハンドピース部材と、
前記第２のハンドピース部材の前記第２のチャネル内に収容された第２の導電性中空管であって、前記中空伸縮部材として機能する前記ハンドピース部材内に収容された前記第１の導電性中空管と伸縮自在に連通する、第２の導電性中空管と、
前記中空伸縮部材として機能する前記ハンドピース部材の外面に位置するアクティブ摺動式接点部材であって、前記アクティブ電極とも、前記第２のハンドピース部材の前記内面に位置する一方の対向する接点部材とも連通する、アクティブ摺動式接点部材と、
前記中空伸縮部材として機能する前記ハンドピース部材の外面に位置するリターン摺動式接点部材であって、前記リターン電極とも、前記第２のハンドピース部材の前記内面に位置する他方の対向する接点部材とも連通する、リターン摺動式接点部材と
をさらに備える、超極性伸縮電気外科用ペンシル。
【請求項１１】
前記可撓性非導電管が前記第２の導電性中空管に接続されている、請求項１０に記載の超極性伸縮電気外科用ペンシル。
【請求項１２】
前記第１の導電性中空管が導電性突出部を含み、前記電気外科用ブレードアセンブリの前記リターン電極が導電性突出部を含み、両方の導電性突出部が前記電気外科用ブレードアセンブリの前記非導電性中空管状部材内に収容されている、請求項１０に記載の超極性伸縮電気外科用ペンシル。
【請求項１３】
前記中空伸縮部材として機能する前記ハンドピース部材が、前記中空伸縮部材として機能する前記ハンドピース部材の前記第１の端部に接続されたノズル部材を備える、請求項１０に記載の超極性伸縮電気外科用ペンシル。
【請求項１４】
前記第１の導電性中空管を前記中空伸縮部材として機能する前記ハンドピース部材の前
記チャネル内に支持するための第１の支持部材と、前記第２の導電性中空管を前記第２のハンドピース部材の前記第２のチャネル内に支持するための第２の支持部材とをさらに備える、請求項１０に記載の超極性伸縮電気外科用ペンシル。
【請求項１５】
前記第１の支持部材が、前記アクティブ摺動式接点部材および前記リターン摺動式接点部材のうちの少なくとも１つをさらに支持する、請求項１４に記載の超極性伸縮電気外科用ペンシル。
【請求項１６】
前記電気外科用ブレードアセンブリの前記リターン電極が、導電層と、前記導電層から延びる導電性突出部であって、前記非導電性中空管状部材内に位置する導電性突出部とを備える、請求項１０に記載の超極性伸縮電気外科用ペンシル。
【請求項１７】
前記電気外科用ブレードアセンブリが、前記鋭利な切断縁部とは反対側に位置する前記非導電性平坦部材の端部にいずれも取り付けられた、リターン導電性インサートおよびアクティブ導電性インサートをさらに備え、前記リターン導電性インサートが前記リターン電極と連通し、前記アクティブ導電性インサートが前記アクティブ電極と連通する、請求項１０に記載の超極性伸縮電気外科用ペンシル。
【請求項１８】
対向する平坦側部および鋭利な切断縁部を有する非導電性平坦部材と、
一方の対向する平坦側部に位置するリターン電極と、
反対側の平坦側部に位置するアクティブ電極と、
前記非導電性平坦部材の上部および前記リターン電極の少なくとも一部の上に配置された非導電性中空管状部材と
を備える、超極性電気外科用ブレードアセンブリ。
【請求項１９】
前記リターン電極が、導電層と、前記導電層から延びる導電性突出部であって、前記非導電性中空管状部材内に位置する導電性突出部とを備える、請求項１８に記載の超極性電気外科用ブレードアセンブリ。
【請求項２０】
前記鋭利な切断縁部とは反対側に位置する前記非導電性平坦部材の端部にいずれも取り付けられた、リターン導電性インサートおよびアクティブ導電性インサートをさらに備え、前記リターン導電性インサートが前記リターン電極と連通し、前記アクティブ導電性インサートが前記アクティブ電極と連通する、請求項１８に記載の超極性電気外科用ブレードアセンブリ。
【手続補正２】
【補正対象書類名】明細書
【補正対象項目名】０００９
【補正方法】変更
【補正の内容】
【０００９】
本発明のアルゴンビーム機能を有する超極性伸縮および非伸縮電気外科用ペンシルの例示的な実施形態は、使用者または外科医が電気外科用ブレードの鋭利な非導電性切断縁部で切断を行うこと、電気外科用ブレードのアクティブ電極およびリターン電極で切断を行うこと、電気外科用ブレード上のアクティブ電極とリターン電極の両方を使用することによって生体組織の広い領域の凝固を行うこと、ならびに電気外科用ブレードに収容されたリターン電極またはアクティブ電極の上に配置された非導電性中空管状部材から突出するイオン化ガスを用いて組織の切断および凝固を行うことを可能とする。本発明のアルゴンビーム機能を有する超極性伸縮および非伸縮電気外科用ペンシルの特に新規かつ革新的な特徴は、使用者または外科医が、電気外科用ブレードに収容されたリターン電極またはアクティブ電極の上に配置された非導電性中空管状部材から突出するイオン化ガスを用いて
組織を凝固しながら、同時に電気外科用ブレードの鋭利な非導電性切断縁部で組織を切断できることである。本発明のアルゴンビーム機能を有する超極性伸縮および非伸縮電気外科用ペンシルは、電気外科手術中に組織を切断も凝固もする安全で、効率的、効果的かつ柔軟な方法を使用者または外科医に提供する。本発明のアルゴンビーム機能を有する超極性伸縮および非伸縮電気外科用ペンシルは、電気外科手術中に高電圧および高ＲＦエネルギが患者を通る必要がないので、他の電気外科用器具および方法よりも患者にとってはるかに安全である。加えて、本発明のアルゴンビーム機能を有する超極性伸縮電気外科用ペンシルの伸縮能力により、使用者または外科医が超極性電気外科用ペンシルの長さを調整して異なる手術部位へのアクセスによりよく対応することが可能となる。
【手続補正３】
【補正対象書類名】明細書
【補正対象項目名】００１４
【補正方法】変更
【補正の内容】
【００１４】
本発明のアルゴンビーム機能を有する超極性伸縮電気外科用ペンシルの別の例示的な実施形態では、アルゴンビーム機能を有する超極性電気外科用ペンシルは伸縮式であり、第１および第２の端部ならびに内部に収容されたチャネルを有するハンドピース部材であって、中空伸縮部材として機能するハンドピース部材と、ハンドピース部材の第１の端部内に配置された電気外科用ブレードアセンブリであって、対向する平坦側部および鋭利な切断縁部を備える非導電性平坦部材、一方の対向する平坦側部に位置するリターン電極、他方の対向する平坦側部に位置するアクティブ電極、ならびに非導電性平坦部材の上部およびリターン電極の少なくとも一部の上に配置された非導電性中空管状部材を含む、電気外科用ブレードアセンブリと、第１の端部および第２の端部を有する第１の導電性中空管であって、第１の導電性中空管の少なくとも一部が、電気外科用ブレードアセンブリの非導電性中空管状部材内に、第１の導電性中空管の第１の端部が非導電性中空管状部材の第１の端部の近傍に配置されるように同心円状に収容されている、第１の導電性中空管と、超極性電気外科用ペンシルの少なくとも一部内に収容された可撓性非導電管であって、第１の導電性中空管にガスを提供する可撓性非導電管と、超極性電気外科用ペンシルを作動させるためにリターン電極、アクティブ電極、および第１の導電性中空管をＲＦ電気外科発生器に接続するための複数の電気導体（ワイヤなど）と、第２のチャネルを備える第２のハンドピース部材であって、第１および第２の端部、ならびに対向する接点部材であって、第２のチャネルを画定する第２のハンドピース部材の内面に位置するように第２のハンドピース部材の内法長さに沿って配置された対向する接点部材を有し、中空伸縮部材として機能するハンドピース部材の第２の端部が第２のハンドピース部材内に収容されている、第２のハンドピース部材と、第２のハンドピース部材の第２のチャネル内に収容された第２の導電性中空管であって、中空伸縮部材として機能するハンドピース部材内に収容された第１の導電性中空管と伸縮自在に連通する、第２の導電性中空管と、中空伸縮部材として機能するハンドピース部材の外面に位置するアクティブ摺動式接点部材であって、アクティブ電極とも、第２のハンドピース部材の内面に位置する一方の対向する接点部材とも連通する、アクティブ摺動式接点部材と、中空伸縮部材として機能するハンドピース部材の外面に位置するリターン摺動式接点部材であって、リターン電極とも、第２のハンドピース部材の内面に位置する他方の対向する接点部材とも連通する、リターン摺動式接点部材とを含む。
【手続補正４】
【補正対象書類名】明細書
【補正対象項目名】００１５
【補正方法】変更
【補正の内容】
【００１５】
第２の導電性中空管と第１の導電性中空管との伸縮自在な連通により、第２の導電性中空管が第１の導電性中空管内で摺動することが可能となるように、第２の導電性中空管は第１の導電性中空管よりも小さい直径を有することになり得る。あるいは、第２の導電性中空管と第１の導電性中空管との伸縮自在な連通により、第１の導電性中空管が第２の導電性中空管内で摺動することが可能となるように、第１の導電性中空管は第２の導電性中空管よりも小さい直径を有することになり得る。本発明のアルゴンビーム機能を有する超極性伸縮電気外科用ペンシルはまた、追加の要素をも含んでもよく、追加の要素としては、第１の導電性中空管を中空伸縮部材として機能するハンドピース部材のチャネル内に保持するための少なくとも１つの支持部材であって、同じ支持部材がさらに、アクティブ摺動式接点部材およびリターン摺動式接点部材を中空伸縮部材の外側に保持し得る少なくとも１つの支持部材、ならびに第２の導電性中空管を第２のハンドピース部材の第２のチャネル内に保持するための少なくとも１つの支持部材が挙げられるが、これらに限定されない。
【手続補正５】
【補正対象書類名】明細書
【補正対象項目名】００１８
【補正方法】変更
【補正の内容】
【００１８】
加えて、アルゴンビーム機能を有する超極性伸縮および非伸縮電気外科用ペンシルにおける電気外科用ブレードアセンブリのリターン電極は、導電性リターン層と、導電性リターン層から延びる導電性リターン突出部であって、電気外科用ブレードアセンブリの非導電性中空管状部材内に位置する導電性リターン突出部を備えてもよく、第１の導電性中空管は、電気外科用ブレードアセンブリの非導電性中空管状部材内に収容された第１の導電性中空管の端部から延びる導電性アクティブ突出部を含んでもよい。この構成により、第１の導電性中空管および非導電性中空管状部材を通過したアルゴンガスなどのガスが、第１の導電性中空管の導電性アクティブ突出部およびリターン電極の導電性リターン突出部によってイオン化されることになり、それによって組織を切断または凝固するためのイオン化ガスを提供することになる。
【手続補正６】
【補正対象書類名】明細書
【補正対象項目名】００１９
【補正方法】変更
【補正の内容】
【００１９】
電気外科用ブレードアセンブリの非導電性中空管状部材および非導電性平坦部材は、それぞれセラミックを含んでもよい。第１の導電性中空管および第２の導電性中空管は、真鍮からなってもよい。さらに、電気外科用ブレードアセンブリの非導電性中空管状部材は、非伸縮ペンシル実施形態ではハンドピース部材の、または伸縮ペンシル実施形態では中空伸縮部材として機能するハンドピース部材の第１の端部の外側に配置されてもよい。加えて、第１の導電性中空管および第２の導電性中空管の一方または両方は、それらの外面付近で絶縁されていてもよい。さらに、本発明のアルゴンビーム機能を有する超極性伸縮および非伸縮電気外科用ペンシルはまた、非伸縮ペンシル実施形態ではハンドピース部材の第１の端部に、伸縮ペンシル実施形態では中空伸縮部材として機能するハンドピース部材の第１の端部に組み込まれてもよい、ノズル部材をも含んでもよい。さらに、ノズル部材は着脱可能および／または透明であってもよい。
【手続補正７】
【補正対象書類名】明細書
【補正対象項目名】００２３
【補正方法】変更
【補正の内容】
【００２３】
電気手術器（ＥＳＵ）単極および双極モードで使用される本発明のアルゴンビーム機能を有する超極性伸縮および非伸縮電気外科用ペンシルの例示的な実施形態は、使用者または外科医がペンシルの電気外科用ブレードの鋭利な非導電性先端部で切断を行うこと、および電気外科用ブレードの電気接点を使用することによって生体組織の広い領域の凝固を行うことを可能とする。本発明のアルゴンビーム機能を有する超極性伸縮および非伸縮電気外科用ペンシルはまた、電気外科用ブレードのアクティブ電極およびリターン電極でも切断を行い得る。加えて、使用者または外科医は、イオン化アルゴンガスなどのイオン化ガスを用いて組織を切断および凝固するために、本発明のアルゴンビーム機能を有する超極性伸縮および非伸縮電気外科用ペンシルを使用することができる。さらに、使用者または外科医は、イオン化ガスを用いて組織を凝固しながら同時に電気外科用ブレードの鋭利な非導電性切断縁部で組織を切断するために、本発明の超極性伸縮および非伸縮電気外科用ペンシルを使用することができる。
【手続補正８】
【補正対象書類名】明細書
【補正対象項目名】００２４
【補正方法】変更
【補正の内容】
【００２４】
本発明のアルゴンビーム機能を有する超極性伸縮および非伸縮電気外科用ペンシルの例示的な実施形態は、対向する平坦側部および鋭利な切断縁部を有する非導電性平坦部材と、一方の対向する平坦側部に位置するリターン電極と、反対側の平坦側部に位置するアクティブ電極と、非導電性平坦部材の上部およびリターン電極の少なくとも一部の上に配置された非導電性中空管状部材とを有する、超極性電気外科用ブレードアセンブリを含む。リターン電極は、導電性リターン層と、非導電性中空管状部材内に位置する導電性リターン突出部とを含んでもよく、これにより、導電性中空管から供給されて非導電性中空管状部材に入るガスを、それが導電性中空管から延びる導電性アクティブ突出部およびリターン電極の導電性リターン突出部と接触したときにイオン化することが可能になる。非導電性平坦部材の切断縁部は、生体組織を切断するための鋭利な非導電性切断縁部を形成することができ、一方、非導電性平坦部材の対向する平坦側部に位置するアクティブ電極およびリターン電極は、生体組織の凝固および切断を行うために使用することができる。
【手続補正９】
【補正対象書類名】明細書
【補正対象項目名】００２６
【補正方法】変更
【補正の内容】
【００２６】
図３および図４に示す参照符号に関する要素／特徴の識別情報は以下のとおりである。
１００  アルゴンビーム機能を有する超極性電気外科用ペンシル
１１０  電気外科用ブレードアセンブリ
１１２  非導電性平坦部材
１１４  対向する平坦側部
１１６  鋭利な切断縁部
１１８  アクティブ電極
１２０  リターン電極
１２１  （リターン電極上の）導電層
１２２  非導電性中空管状部材
１２３  （リターン電極上の）導電性突出部
１２４  （ブレードアセンブリでの切断およびガスのイオン化のために電気外科用ブ
レードアセンブリをＲＦ発電機［電気手術器またはＥＳＵとしても知られる］に接続するための）リターン導電性インサート
１２６  （超極性電気外科用ペンシル１００を作動させるために電気外科用ブレードアセンブリを、ＲＦ発電機にさらに接続された回路基板に接続するための）アクティブ導電性インサート
１２８  鋭利な切断縁部とは反対側の非導電性平坦部材の端部
１３０  ハンドピース部材
１３２  チャネル
１３４、１３６  （ハンドピース部材１３０の）第１および第２の端部
１３７  ノズル部材（ハンドピース部材の第１の端部に接続され、取外し可能および／または透明であることができる）
１３８  第１の導電性中空管
１４０、１４２  （第１の導電性中空管１３８の）第１および第２の端部
１４６  導電性突出部（非導電性中空管状部材１２２内に収容された第１の導電性中空管１３８の端部から延びる；導電性突出部１２３と導電性突出部１４６との間でガス（たとえばアルゴンガス）がイオン化される）
１４８  第１の導電性中空管１３８にガス（たとえばアルゴンガス）を供給するための可撓性非導電管（たとえばプラスチック）
１５０  （アルゴンガスなどのガスのイオン化のために）可撓性非導電管１４８を通って延び、第１の導電性中空管１３８に接続された、ＲＦ電気外科発生器からのアクティブワイヤ
１５２  （アルゴンビーム機能を有する超極性電気外科用ペンシル１００を作動させるための）回路基板
１５４  電気外科用ブレードアセンブリ１１０のアクティブ電極１１８を回路基板１５２に接続するためのアクティブワイヤ
１５５  回路基板１５２をＲＦ電気外科発生器に接続するためのアクティブワイヤ
１５６  （ハンドピース部材１３０の第２の端部１３６に接続された）旋回部材
【手続補正１０】
【補正対象書類名】明細書
【補正対象項目名】００２７
【補正方法】変更
【補正の内容】
【００２７】
図５および図６に示す参照符号に関する要素／特徴の識別情報は以下のとおりである。
２００  アルゴンビーム機能を有する超極性伸縮電気外科用ペンシル
２１０  電気外科用ブレードアセンブリ
２１２  非導電性平坦部材
２１４  対向する平坦側部
２１６  鋭利な切断縁部
２１８  アクティブ電極
２２０  リターン電極
２２１  （リターン電極上の）導電層
２２２  非導電性中空管状部材
２２３  （リターン電極上の）導電性突出部
２２４  （ブレードアセンブリでの切断およびガスのイオン化のために電気外科用ブレードアセンブリをＲＦ発電機［電気手術器またはＥＳＵとしても知られる］に接続するための）リターン導電性インサート
２２６  （超極性伸縮電気外科用ペンシル２００を作動させるために電気外科用ブレードアセンブリを、ＲＦ発電機にさらに接続された回路基板に接続し、様々な動作の中でもとりわけ低電力を用いたブレードアセンブリでの切断を可能にするための）アクティブ
導電性インサート
２２８  鋭利な切断縁部とは反対側の非導電性平坦部材の端部
２３０  第２のハンドピース部材
２３２  第２のチャネル
２３４、２３６  （第２のハンドピース部材２３０の）第１および第２の端部
２３８、２４０  （第２のハンドピース部材２３０の反対側の内側長さに沿って位置する）対向する接点部材
２４２  第２の導電性中空管
２４４  中空伸縮部材として機能するハンドピース部材
２４５  チャネル
２４６、２４８  （中空伸縮部材として機能するハンドピース部材２４４の）第１および第２の端部
２５０  中空伸縮部材として機能するハンドピース部材２４４のノズル部材（取外し可能および／または透明であることができる）
２５２  アクティブ摺動式接点部材（ブレードアセンブリ上のアクティブ電極用；対向する接点部材２３８内でおよび／またはこれに沿って摺動する）
２５４  リターン摺動式接点部材（ブレードアセンブリ上のリターン電極用；対向する接点部材２４０内でおよび／またはこれに沿って摺動する）
２５６  第１の導電性中空管（中空伸縮部材として機能するハンドピース部材２４４内に収容され、少なくとも一部が電気外科用ブレードアセンブリ２１０の非導電性中空管状部材内に収容される）
２５８  導電性突出部（非導電性中空管状部材２２２内に収容された第１の導電性中空管２５６の端部から延びる；導電性突出部２２３と導電性突出部２５８との間でガス（たとえばアルゴンガス）がイオン化される）
２６０  第１の導電性中空管２５６用の第１の支持部材（アクティブ摺動式接点部材２５２およびリターン摺動式接点部材２５４をも支持し得る）
２６２  第２の導電性中空管２４２用の第２の支持部材
２６４  （第２のハンドピース部材２３０の第２の端部２３６に接続された）旋回部材
２６６  （アルゴンビーム機能を有する超極性伸縮電気外科用ペンシル２００を作動させるための）回路基板
２６８  ＲＦ電気外科発生器から（アルゴンビーム機能を有する超極性伸縮電気外科用ペンシル２００を作動させるための）回路基板へのアクティブワイヤ
２６９  リターン電極２２０に接続された、ＲＦ電気外科発生器からのワイヤ
２７０  （アルゴンガスなどのガスのイオン化のために）第１の導電性中空管２５６にさらに接続された第２の導電性中空管２４２に接続された、ＲＦ電気外科発生器からのアクティブワイヤ
２７２  第１の導電性中空管２５６にさらに接続された第２の導電性中空管２４２にガス源からガス（アルゴンガスなど）を供給するための可撓性非導電管
【手続補正１１】
【補正対象書類名】明細書
【補正対象項目名】００３４
【補正方法】変更
【補正の内容】
【００３４】
アルゴンビーム機能を有する超極性伸縮電気外科用ペンシル２００は、第１および第２の端部２４６、２４８ならびに内部に収容されたチャネル２４５を有するハンドピース部材２４４であって、中空伸縮部材として機能するハンドピース部材２４４と、ハンドピース部材２４４の第１の端部２４６内に配置された電気外科用ブレードアセンブリ２１０であって、対向する平坦側部２１４および鋭利な切断縁部２１６を備える非導電性平坦部材
２１２、一方の対向する平坦側部２１４に位置するリターン電極２２０、他方の対向する平坦側部２１４に位置するアクティブ電極２１８、ならびに非導電性平坦部材２１２の上部およびリターン電極２２０の少なくとも一部の上に配置された非導電性中空管状部材２２２を含む、電気外科用ブレードアセンブリ２１０と、第１の端部および第２の端部を有する第１の導電性中空管２５６であって、第１の導電性中空管２５６の少なくとも一部が、電気外科用ブレードアセンブリ２１０の非導電性中空管状部材２２２内に、第１の導電性中空管２５６の第１の端部が非導電性中空管状部材２２２の第１の端部の近傍に配置されるように同心円状に収容されている、第１の導電性中空管２５６と、超極性伸縮電気外科用ペンシル２００の少なくとも一部内に収容された可撓性非導電管２７２であって、第１の導電性中空管２５６にガスを提供する可撓性非導電管２７２と、超極性伸縮電気外科用ペンシル２００を作動させるためにリターン電極２２０、アクティブ電極２１８、および第１の導電性中空管２５６をＲＦ電気外科発生器に接続するための複数の電気導体（ワイヤ２６８、２６９、２７０など）とを含む。超極性伸縮電気外科用ペンシル２００は、第２のチャネル２３２を備える第２のハンドピース部材２３０であって、第１および第２の端部２３４、２３６、ならびに対向する接点部材２３８、２４０であって、第２のチャネル２３２を画定する第２のハンドピース部材２３０の内面に位置するように第２のハンドピース部材２３０の内法長さに沿って配置された対向する接点部材２３８、２４０を有する、第２のハンドピース部材２３０をさらに含む。中空伸縮部材として機能するハンドピース部材２４４の第２の端部２４８は、第２のハンドピース部材２３０内に収容されている。第２のハンドピース部材２３０の第２のチャネル２３２内には第２の導電性中空管２４２が収容されており、第２の導電性中空管２４２は、中空伸縮部材として機能するハンドピース部材２４４内に収容された第１の導電性中空管２５６と伸縮自在に連通する。中空伸縮部材として機能するハンドピース部材２４４の外面にはアクティブ摺動式接点部材２５２が位置し、アクティブ摺動式接点部材２５２は、アクティブ電極２１８とも、第２のハンドピース部材２３０の内面に位置する一方の対向する接点部材２３８とも連通する。中空伸縮部材として機能するハンドピース部材２４４の外面にはリターン摺動式接点部材２５４が位置し、リターン摺動式接点部材２５４は、リターン電極２２０とも、第２のハンドピース部材２３０の内面に位置する他方の対向する接点部材２４０とも連通する。
【手続補正１２】
【補正対象書類名】明細書
【補正対象項目名】００３５
【補正方法】変更
【補正の内容】
【００３５】
第２の導電性中空管２４２と第１の導電性中空管２５６との伸縮自在な連通により、第２の導電性中空管２４２が第１の導電性中空管２５６内で摺動することが可能となるように、第２の導電性中空管２４２は第１の導電性中空管２５６よりも小さい直径を有することになり得る。超極性電気外科用ブレードアセンブリ２１０は、鋭利な切断縁部２１６とは反対側に位置する非導電性平坦部材２１２の端部２２８にいずれも取り付けられた、リターン導電性インサート２２４およびアクティブ導電性インサート２２６を含む。リターン導電性インサート２２４は、リターン電極２２０およびリターン摺動式接点部材２５４と連通し、アクティブ導電性インサート２２６は、アクティブ電極２１８およびアクティブ摺動式接点部材２５２と連通する。
【手続補正１３】
【補正対象書類名】明細書
【補正対象項目名】００３６
【補正方法】変更
【補正の内容】
【００３６】
本発明のアルゴンビーム機能を有する超極性伸縮電気外科用ペンシル２００はまた、第１の導電性中空管２５６を中空伸縮部材として機能するハンドピース部材２４４のチャネル２４５内に保持するための第１の支持部材２６０をも含み、第１の支持部材２６０はさらに、アクティブ摺動式接点部材２５２およびリターン摺動式接点部材２５４を中空伸縮部材２４４の外側に保持する。超極性伸縮電気外科用ペンシルはまた、第２の導電性中空管２４２を第２のハンドピース部材２３０の第２のチャネル２３２内に保持するための第２の支持部材２６２をも含む。可撓性非導電管２７２は第２の導電性中空管２４２に接続されており、第２の導電性中空管２４２は第１の導電性中空管２５６にさらに接続されている。
【手続補正１４】
【補正対象書類名】明細書
【補正対象項目名】００３７
【補正方法】変更
【補正の内容】
【００３７】
第１の導電性中空管２５６は導電性突出部２５８を含み、リターン電極２２０は導電性突出部２２３を含み、両方の導電性突出部２２３、２５８は超極性電気外科用ブレードアセンブリ２１０の非導電性中空管状部材２２２内に収容されている。リターン電極は導電層２２１を含んでもよく、導電層２２１から導電性突出部２２３が延び、導電性突出部２２３は非導電性中空管状部材２２２内に位置している。中空伸縮部材として機能するハンドピース部材２４４は、ハンドピース部材２４４の第１の端部２４６に接続されたノズル部材２５０を含んでもよく、ノズル部材２５０は取外し可能および／または透明であってもよい。超極性電気外科用ブレードアセンブリ２１０の非導電性平坦部材２１２および非導電性中空管状部材２２２はセラミック材料製であってもよく、一方、第１および第２の導電性中空管２５６、２４２は真鍮製であってもよい。
【手続補正１５】
【補正対象書類名】図面
【補正対象項目名】全図
【補正方法】変更
【補正の内容】
【図１】
2020508790.tif 000001
【図２】
2020508790.tif 000002
【図３】
2020508790.tif 000003
【図４】
2020508790.tif 000004
【図５】
2020508790.tif 000005
【図６】
2020508790.tif 000006